(57)【要約】【課題】照明器具の位置をより自由に調整できる照明器具の支持装置を提供する。【解決手段】照明器具Ｌの支持装置１は、通電可能なレール２と、筐体１０と、結線部とを備える。レール２には、照明器具Ｌが着脱自在に取り付けられる。筐体１０は、レール２を収容する。結線部は、外部電源と接続して外部電源からの電力をレール２に供給する。【選択図】図１
2017162752.tif 000002
【特許請求の範囲】
【請求項１】
照明器具が着脱自在に取り付けられる通電可能なレールと、
前記レールを収容する筐体と、
外部電源と接続して前記外部電源からの電力を前記レールに供給する結線部と
を備える、照明器具の支持装置。
【請求項２】
前記筐体は、
天面と、
前記レールを収容するレール収容部と
を有し、
前記レール収容部は、前記筐体の内側に面する開口を有し、
前記レールは、前記開口から露出する露出面を有し、
前記露出面は、前記天面よりも前記レール収容部の内側、又は前記天面と同一の平面内に位置する、請求項１に記載の照明器具の支持装置。
【請求項３】
前記筐体は複数であり、
前記レールは、前記複数の筐体の各々に収容される、請求項１又は請求項２に記載の照明器具の支持装置。
【請求項４】
前記複数の筐体を連結させる連結部材を更に備え、
前記連結部材は、隣接する前記筐体をまたぐように、隣接する前記筐体の内側に取り付けられる、請求項３に記載の照明器具の支持装置。
【請求項５】
前記複数の筐体の各々は、前記複数の筐体の各々の内側に前記連結部材が嵌合する被嵌合部を更に有し、
前記連結部材は、
平板状のベース部と、
前記ベース部から前記ベース部に直交する方向に延びる嵌合部と
を有し、
前記嵌合部は、前記被嵌合部に嵌合する、請求項４に記載の照明器具の支持装置。
【請求項６】
前記結線部は、前記筐体の外部に設けられる、請求項１〜請求項５のいずれか１項に記載の照明装置の支持装置。
【発明の詳細な説明】
【技術分野】
【０００１】
本発明は、照明器具の支持装置に関する。
【背景技術】
【０００２】
特許文献１には、照明器具の取付構造が記載されている。特許文献１に記載の照明器具の取付構造は、照明器具を支持する箱体の位置を調整することができる。詳しくは、特許文献１に記載の照明器具の取付構造は、天井スラブと天井板との間に箱体を配置し、箱体と天井板との間の距離を調整可能な構造を有する。したがって、特許文献１に記載の照明器具の取付構造によれば、照明器具と天井板との間の距離を調整することができる。
【先行技術文献】
【特許文献】
【０００３】
【特許文献１】特開２００５−２６０９８号公報
【発明の概要】
【発明が解決しようとする課題】
【０００４】
しかしながら、特許文献１に記載の照明器具の取付構造では、天井板と平行な方向における照明器具の位置を調整することはできない。
【０００５】
本発明は上記課題に鑑み、照明器具の位置をより自由に調整できる照明器具の支持装置を提供することを目的とする。
【課題を解決するための手段】
【０００６】
本願に開示する照明器具の支持装置は、通電可能なレールと、筐体と、結線部とを備える。前記レールには、照明器具が着脱自在に取り付けられる。前記筐体は、前記レールを収容する。前記結線部は、外部電源と接続して前記外部電源からの電力を前記レールに供給する。
【０００７】
本願に開示する照明器具の支持装置において、前記筐体は、天面と、レール収容部とを有してもよい。前記レール収容部は、前記レールを収容してもよい。前記レール収容部は、前記筐体の内側に面する開口を有してもよい。前記レールは、前記開口から露出する露出面を有してもよい。前記露出面は、前記天面よりも前記レール収容部の内側、又は前記天面と同一の平面内に位置してもよい。
【０００８】
本願に開示する照明器具の支持装置において、前記筐体は複数であってもよい。前記レールは、前記複数の筐体の各々に収容されてもよい。
【０００９】
本願に開示する照明器具の支持装置は、連結部材を更に備えてもよい。前記連結部材は、前記複数の筐体を連結させてもよい。前記連結部材は、隣接する前記筐体をまたぐように、隣接する前記筐体の内側に取り付けられてもよい。
【００１０】
本願に開示する照明器具の支持装置において、前記複数の筐体の各々は、前記複数の筐体の各々の内側に前記連結部材が嵌合する被嵌合部を有してもよい。前記連結部材は、平板状のベース部と、嵌合部とを有してもよい。前記嵌合部は、前記ベース部から前記ベース部に直交する方向に延びてもよい。前記嵌合部は、前記被嵌合部に嵌合してよい。
【００１１】
本願に開示する照明器具の支持装置において、前記結線部は、前記筐体の外部に設けられてもよい。
【発明の効果】
【００１２】
本発明によれば、照明器具の位置をより自由に調整できる。
【図面の簡単な説明】
【００１３】
【図１】実施形態に係る照明器具の支持装置の構成を示す断面図である。
【図２】実施形態に係る照明器具の支持装置の構成を示す斜視図である。
【図３】実施形態に係る照明器具の支持装置の構成を示す底面図である。
【図４】実施形態に係る第１筐体の構成を示す斜視図である。
【図５】（ａ）は、実施形態に係る第１筐体の構成を示す背面図であり、（ｂ）は、実施形態に係る第１筐体の構成を示す底面図である。
【図６】実施形態に係る第２筐体の構成を示す斜視図である。
【図７】実施形態に係る第３筐体の構成を示す斜視図である。
【図８】実施形態に係る照明器具の支持装置の要部を示す図である。
【図９】実施形態に係る連結部材の構成を示す斜視図である。
【図１０】図８に示すＸ−Ｘ線に沿った断面を示す図である。
【図１１】実施形態に係る第１連結部材の取付方法を示す図である。
【図１２】実施形態に係る第１筐体の他の構成を示す背面図である。
【図１３】（ａ）は、実施形態に係る第１筐体の更なる他の構成を示す背面図であり、（ｂ）は、実施形態に係る第１筐体の更なる他の構成を示す背面図である。
【発明を実施するための形態】
【００１４】
以下、図面を参照して本発明の実施形態を説明する。ただし、図中、同一又は相当部分については同一の参照符号を付して説明を繰り返さない。
【００１５】
まず、図１を参照して、照明器具の支持装置１について説明する。図１は、照明器具の支持装置１の構成を示す断面図である。以下、照明器具の支持装置１を「支持装置１」と記載する場合がある。支持装置１は、ライディングダクトの一例である。
【００１６】
図１に示すように、支持装置１は、天井スラブＳと天井板Ｃとの間の位置に設けられる。本実施形態において、支持装置１は、天井スラブＳから吊り下げられた複数のボルトＢによって支持される。詳しくは、支持装置１が備える筐体１０に複数のボルトＢが挿通される。筐体１０に挿通されたボルトＢの各々には、筐体１０の内側からナットＮｔが螺着される。この結果、筐体１０が複数のボルトＢによって支持されて、支持装置１が複数のボルトＢによって支持される。以下では、支持装置１が天井スラブＳから吊り下げられた状態における天井スラブＳ側を支持装置１の上側として記載し、天井スラブＳ側と反対側を支持装置１の下側として記載する。
【００１７】
筐体１０は、下壁１１４を有する。下壁１１４は、開口を有する。下壁１１４は、筐体１０の側面から筐体１０の外方に突出する突出部１１４ａを有する。
【００１８】
支持装置１は、筐体１０内において、照明器具Ｌを支持する。詳しくは、支持装置１は、通電可能なレール２を筐体１０の内部に備える。レール２には、照明器具Ｌが着脱自在に取り付けられる。照明器具Ｌから発光された光は、下壁１１４の開口を介して筐体１０の外部へ出射される。
【００１９】
また、筐体１０は、複数の支持具Ｆを有する。筐体１０は、各支持具Ｆの基端部を上下方向にスライド可能に支持する。支持具Ｆの先端部と下壁１１４の突出部１１４ａとの間に天井板Ｃが挟まれることによって支持装置１が天井板Ｃに支持される。
【００２０】
次に、図２及び図３を参照して、支持装置１の構成について詳細に説明する。図２は、支持装置１の構成を示す斜視図である。詳しくは、図２は、支持装置１を斜め下から見た図である。図３は、支持装置１の構成を示す底面図である。
【００２１】
図２に示すように、支持装置１は、結線部４、複数の連結部材５、及び複数の筐体１０を更に備える。結線部４は、外部電源（商用電源）に接続する。以下、結線部４が設けられる側を支持装置１の前側として記載し、結線部４が設けられる側とは反対側を支持装置１の後ろ側として記載する。また、支持装置１が天井スラブＳから吊り下げられた状態において支持装置１から見て右側を支持装置１の右側として記載し、支持装置１から見て左側を支持装置１の左側と記載する。
【００２２】
複数の筐体１０は、第１筐体１１、第２筐体１２及び第３筐体１３を有する。第１筐体１１は、３つの筐体１０のうち、最も前側に位置する。第２筐体１２は、３つの筐体１０のうち、最も後ろ側に位置する。第３筐体１３は、第１筐体１１と第２筐体１２との間に位置する。第１筐体１１、第２筐体１２、及び第３筐体１３が連結することによって、下面が開口する箱型の形状が形成される。
【００２３】
複数の連結部材５は、前後方向に沿って複数の筐体１０を連結する。複数の連結部材５は、第１連結部材５１及び第２連結部材５２を有する。なお、図２では、支持装置１の左側に配置された第１連結部材５１及び第２連結部材５２のみが図示されているが、第１連結部材５１及び第２連結部材５２は、支持装置１の右側にも配置されている。
【００２４】
第１連結部材５１は、第１筐体１１と第３筐体１３とを連結する。詳しくは、第１連結部材５１は、第１筐体１１の後端と第３筐体１３の前端とを連結する。第２連結部材５２は、第２筐体１２と第３筐体１３とを連結する。詳しくは、第２連結部材５２は、第３筐体１３の後端と第２筐体１２の前端とを連結する。
【００２５】
図３に示すように、支持装置１は、前後方向に沿って連結する３本のレール２を備える。各レール２は、前後方向に延在する。第１筐体１１、第２筐体１２、及び第３筐体１３は、１本のレール２をそれぞれ収容する。また、支持装置１は、複数の給電部材３を更に備える。
【００２６】
複数の給電部材３の各々は、レール２に着脱自在に取り付けられる。複数の給電部材３の各々は、前後方向に沿って隣接する２本のレール２と電気的及び機械的に接続する。複数の給電部材３は、第１給電部材３１及び第２給電部材３２を有する。第１給電部材３１は、第１筐体１１が収容するレール２及び第３筐体１３が収容するレール２に接続する。第２給電部材３２は、第２筐体１２が収容するレール２及び第３筐体１３が収容するレール２に接続する。
【００２７】
結線部４は、第１筐体１１の外方に設けられて、第１筐体１１に収容されているレール２と電気的に接続する。これにより、図１を参照して説明した照明器具Ｌの設置スペースをより広く確保できる。
【００２８】
結線部４は、端子台（不図示）を内蔵する。結線部４は、外部電源に接続された電線を端子台に接続することによって、外部電源からの交流電圧を第１筐体１１が収容するレール２へ供給する。第１筐体１１が収容するレール２に供給された交流電圧は、第３筐体１３が収容するレール２へ第１給電部材３１を介して供給される。また、第３筐体１３が収容するレール２に供給された交流電圧は、第２給電部材３２を介して第２筐体１２が収容するレール２へ供給される。
【００２９】
続いて、図４、図５（ａ）及び図５（ｂ）を参照して、第１筐体１１の構成について説明する。図４は、第１筐体１１の構成を示す斜視図である。詳しくは、第１筐体１１を左下から見た図である。図５（ａ）は、第１筐体１１の構成を示す背面図である。図５（ｂ）は、第１筐体１１の構成を示す底面図である。
【００３０】
図４に示すように、第１筐体１１は、後面及び下面が開口する略直方体の形状である。第１筐体１１は、上壁１１１、右側壁１１２、左側壁１１３、及び下壁１１４を有する。また、第１筐体１１は、図１を参照して説明した支持具Ｆを例えば２つ有する。第１筐体１１は、第１連結支持部６１及び第２連結支持部６２を更に有する。第１連結支持部６１及び第２連結支持部６２は、被嵌合部の一例である。
【００３１】
第１連結支持部６１及び第２連結支持部６２は、第１筐体１１の内側に設けられている。詳しくは、第１連結支持部６１は、第１筐体１１の右側に設けられる。第２連結支持部６２は、第１筐体１１の左側に設けられる。第１連結支持部６１は、第２連結支持部６２と左右方向において対向する。
【００３２】
第１連結支持部６１は、第１ガイド部６１１及び第２ガイド部６１２を有する。第１ガイド部６１１は、第１筐体１１の上側に設けられる。第２ガイド部６１２は、第１筐体１１の下側に設けられる。第１ガイド部６１１は、第２ガイド部６１２と上下方向において対向する。第１ガイド部６１１及び第２ガイド部６１２は、図２を参照して説明した右側に位置する第１連結部材５１を支持する。
【００３３】
第２連結支持部６２は、第３ガイド部６１３、及び第４ガイド部６１４を有する。第３ガイド部６１３は、第１筐体１１の上側に設けられる。第４ガイド部６１４は、第１筐体１１の下側に設けられる。第３ガイド部６１３は、第４ガイド部６１４と上下方向において対向する。第３ガイド部６１３及び第４ガイド部６１４は、図２を参照して説明した左側に位置する第１連結部材５１を支持する。
【００３４】
本実施形態において、第１ガイド部６１１〜第４ガイド部６１４は、第１筐体１１の前端から後端にわたって延在する。詳しくは、第１ガイド部６１１及び第２ガイド部６１２の長さは、右側壁１１２の内側面の前後方向の長さと等しい。また、第３ガイド部６１３及び第４ガイド部６１４の長さは、左側壁１１３の内側面の前後方向の長さと等しい。なお、第１ガイド部６１１及び第２ガイド部６１２の長さは、右側壁１１２の内側面の前後方向の長さより短くてもよい。同様に、第３ガイド部６１３及び第４ガイド部６１４の長さは、左側壁１１３の内側面の前後方向の長さより短くてもよい。この場合、第１ガイド部６１１〜第４ガイド部６１４は、前後方向に沿って複数設けられてもよい。
【００３５】
図５（ａ）に示すように、上壁１１１は、第１筐体１１の内側に天面１１１ａを有する。また、上壁１１１は、第１筐体１１の外方に突出するレール収容部１１０を有する。レール収容部１１０は、レール２を収容する。レール収容部１１０は、第１筐体１１の内側に面する開口を有する。レール２は、レール収容部１１０の開口から露出する露出面２ｇを有する。本実施形態において、露出面２ｇは、上壁１１１の天面１１１ａと同一の平面内に位置する。すなわち、露出面２ｇと天面１１１ａとの上下方向の位置が同じである。
【００３６】
続いて、第１連結支持部６１が有する第１ガイド部６１１及び第２ガイド部６１２について説明する。第１ガイド部６１１は、右側壁１１２から第１筐体１１の内側に向けて突出し、先端が右側壁１１２に対向するように屈曲している。第１ガイド部６１１は、右側壁１１２との間に溝１１６ａを形成する。第２ガイド部６１２は、下壁１１４から第１筐体１１の内側に向けて突出し、先端が右側壁１１２に対向するように屈曲している。第２ガイド部６１２は、第１筐体１１の右側壁１１２との間に溝１１６ｂを形成する。溝１１６ａ及び溝１１６ｂのそれぞれには、右側に位置する第１連結部材５１の各端部が篏入される。
【００３７】
続いて、第２連結支持部６２が有する第３ガイド部６１３及び第４ガイド部６１４について説明する。第３ガイド部６１３は、左側壁１１３から第１筐体１１の内側に向けて突出し、先端が左側壁１１３に対向するように屈曲している。第３ガイド部６１３は、第１筐体１１の左側壁１１３との間に溝１１６ｃを形成する。第４ガイド部６１４は、下壁１１４から第１筐体１１の内側に向けて突出し、先端が左側壁１１３に対向するように屈曲している。第４ガイド部６１４は、第１筐体１１の左側壁１１３との間に溝１１６ｄを形成する。溝１１６ｃ及び溝１１６ｄのそれぞれには、左側に位置する第１連結部材５１の各端部が篏入される。
【００３８】
本実施形態において、第１ガイド部６１１及び第３ガイド部６１３の形状は、フック形状であり、第２ガイド部６１２及び第４ガイド部６１４の形状は、Ｌ字形状である。
【００３９】
図５（ｂ）に示すように、上壁１１１には、第１長穴９２及び第２長穴９３が形成されている。第１長穴９２及び第２長穴９３には、図１を参照して説明したボルトＢが第１筐体１１の外側から内側に向けてそれぞれ挿通される。ボルトＢには、第１筐体１１の内側からナットＮｔが螺着される。第１長穴９２と第２長穴９３とは互いに直交する方向に長手方向を有する。詳しくは、第１長穴９２は、レール２が延在する方向（前後方向）に長い長穴である。第２長穴９３は、レール２が延在する方向に直交する方向（左右方向）に長い長穴である。これにより、第１筐体１１の左右方向及び前後方向の移動が規制される。
【００４０】
次に、図６を参照して、第２筐体１２の構成について説明する。図６は、第２筐体１２の構成を示す斜視図である。詳しくは、第２筐体１２を右下から見た図である。
【００４１】
図６に示すように、第２筐体１２の構成は、結線部４が設けられない点、及び後面の開口に替わって前面が開口する点を除いて第１筐体１１の構成と略同様である。このため、第２筐体１２の構成についての説明は割愛する。
【００４２】
続いて、図７を参照して、第３筐体１３の構成について説明する。図７は、第３筐体１３の構成を示す斜視図である。詳しくは、第３筐体１３を右下から見た図である。
【００４３】
図７に示すように、第３筐体１３は、前面及び後面が開口する点、前後方向の長さが第２筐体１２よりも長い点、及び例えば８つの支持具Ｆを有する点を除いて、第２筐体１２の構成と略同様の構成である。このため、第３筐体１３の構成についての説明は割愛する。なお、第１筐体１１の第１ガイド部６１１〜第４ガイド部６１４の後端が、第３筐体１３の第１ガイド部６１１〜第４ガイド部６１４の前端に対向するように、第１筐体１１及び第３筐体１３が配置される。また、第３筐体１３の第１ガイド部６１１〜第４ガイド部６１４の後端が、第２筐体１２の第１ガイド部６１１〜第４ガイド部６１４の前端に対向するように、第２筐体１２及び第３筐体１３が配置される。
【００４４】
次に、図８を参照して、支持装置１の構成について説明する。図８は、支持装置１の要部を示す図である。詳しくは、図８は、支持装置１の内部を左側から見た図である。
【００４５】
図８に示すように、支持装置１は、右側壁１１２の内側に第１連結部材５１及び第２連結部材５２を備える。第１連結部材５１は、第１筐体１１と第３筐体１３とをまたぐように取り付けられる。第２連結部材５２は、第２筐体１２と第３筐体１３とをまたぐように取り付けられる。なお、支持装置１は、右側壁１１２の内側と同様に、左側壁１１３の内側に第１連結部材５１及び第２連結部材５２を備える。
【００４６】
次に、図９を参照して、第１連結部材５１の構成について説明する。図９は、第１連結部材５１の構成を示す斜視図である。
【００４７】
図９に示すように、第１連結部材５１は、ベース部５１１及び２つの嵌合部５１２を有する。ベース部５１１は、平板状である。ベース部５１１には、２つのネジ孔５１３が形成されている。２つのネジ孔５１３には、ネジＮがそれぞれ螺着される。２つの嵌合部５１２は、ベース部５１１の２つの対向する端部からベース部５１１に直交する方向にそれぞれ延びる。なお、第２連結部材５２の構成は、第１連結部材５１の構成と同様である。このため、第２連結部材５２の構成についての説明は割愛する。
【００４８】
続いて、図１０を参照して、２つの第１連結部材５１が第１連結支持部６１及び第２連結支持部６２に支持されている状態について説明する。図１０は、図８に示すＸ−Ｘ線に沿った断面を示す図である。なお、図１０では、理解を容易にするために第１給電部材３１を図示していない。
【００４９】
図１０に示すように、２つの第１連結部材５１は、左右方向において対向する。詳しくは、２つの第１連結部材５１のうち、一方（左側）の第１連結部材５１は、左側壁１１３の内側に取り付けられる。２つの第１連結部材５１のうち、他方（右側）の第１連結部材５１は、右側壁１１２の内側に取り付けられる。
【００５０】
左側に位置する第１連結部材５１のベース部５１１は、左側壁１１３と平行に配置される。また、左側に位置する第１連結部材５１の２つの嵌合部５１２は、溝１１６ａ、１１６ｂに嵌合する。したがって、左側に位置する第１連結部材５１は、第１ガイド部６１１、第２ガイド部６１２及び左側壁１１３によって左右方向の移動が規制される。また、第１ガイド部６１１と下壁１１４とによって、上下方向の移動が規制される。これにより、左側壁１１３へのネジＮの螺着作業が容易になる。
【００５１】
右側に位置する第１連結部材５１のベース部５１１は、右側壁１１２と平行に配置される。また、右側に位置する第１連結部材５１の２つの嵌合部５１２は、溝１１６ｃ、１１６ｄに嵌合する。したがって、右側に位置する第１連結部材５１は、第３ガイド部６１３、第４ガイド部６１４、及び右側壁１１２によって左右方向の移動が規制される。また、第３ガイド部６１３と下壁１１４とによって、上下方向の移動が規制される。これにより、右側壁１１２へのネジＮの螺着作業が容易になる。なお、第２連結部材５２も第１連結部材５１と同様に、第１連結支持部６１及び第２連結支持部６２に支持される。
【００５２】
続いて、図１１を参照して、第１連結部材５１の取付方法について左側に位置する第１連結部材５１を例に説明する。なお、右側に位置する第１連結部材５１の取付方法は、左側に位置する第１連結部材５１の取付方法と同様である。このため、右側に位置する第１連結部材５１の取付方法についての説明は割愛する。図１１は、左側に位置する第１連結部材５１の取付方法を示す図である。詳しくは、第１筐体１１及び第３筐体１３を左側から見た図である。
【００５３】
図１１に示すように、まず、第１連結部材５１は、第１筐体１１の左側壁１１３の内側に配置される。詳しくは、第１連結部材５１の２つの嵌合部５１２を第１筐体１１の溝１１６ａ、１１６ｂに嵌合させる。その後、第１連結部材５１を図１１の矢印Ｄに示す方向に沿って所定の位置まで移動（スライド）させる。詳しくは、溝１１６ａ、１１６ｂに沿って第１連結部材５１を移動させる。所定の位置は、第１連結部材５１が第３筐体１３と第１筐体１１とをまたぐ位置である。したがって、所定の位置に到達した第１連結部材５１の前半分は、第１筐体１１の溝１１６ａ、１１６ｂに嵌合し、第１連結部材５１の後ろ半分は、第３筐体１３の溝１１６ａ、１１６ｂに嵌合する。その後、第１連結部材５１は第１筐体１１及び第３筐体１３に固定される。詳しくは、２つのネジ孔５１３にそれぞれネジＮが挿通されて、第１筐体１１の左側壁１１３、及び第３筐体１３の左側壁１１３にそれぞれネジＮが螺着される。
【００５４】
なお、第１筐体１１及び第３筐体１３の左側壁１１３と同様に第１筐体１１及び第３筐体１３の右側壁１１２に第１連結部材５１が固定される。これにより、第１筐体１１と第３筐体１３とが連結する。したがって、第１筐体１１と第３筐体１３との相互位置がずれることを抑制することができる。
【００５５】
また、２つの第２連結部材５２も２つの第１連結部材５１と同様に第２筐体１２と第３筐体１３とをまたぐように取り付けられる。したがって、第３筐体１３と第２筐体１２との相互位置がずれることを抑制できる。
【００５６】
以上、本発明の実施形態について図面を参照しながら説明した。本発明の実施形態によれば、支持装置１は、筐体１０の内部にレール２を備える。したがって、照明器具Ｌをレール２に沿って配置することができる。すなわち、筐体１０の内部において照明器具Ｌの位置を自由に調整することができる。また、本実施形態によれば、レール２に照明器具Ｌを取り付けるだけで照明器具Ｌに電力が供給される。したがって、電気配線作業が不要となり、照明器具Ｌの設置作業の効率化を図ることができる。
【００５７】
また、本実施形態では、一般的なレールが使用される。したがって、ユーザーは、汎用の照明器具をレール２に取り付けることができる。
【００５８】
また、本実施形態によれば、各レール２は、各筐体１０の天面１１１ａと同一の平面内に位置する。したがって、第１長穴９２及び第２長穴９３に挿通された各ボルトＢに、各筐体１０の内側からナットＮｔを螺着させる際に、手指等がレール２に接触することを回避することができる。この結果、筐体１０内における各ボルトＢへのナットＮｔの螺着作業が容易になる。
【００５９】
また、本実施形態によれば、１つの給電部材３が隣接するレール２を電気的に接続する。よって、支持装置１は、２つ以上の第３筐体１３を備えることができ、４本以上のレール２を備え得る。換言すると、連結する第３筐体１３の数を調整することで、連結するレール２の本数を容易に調整できる。したがって、支持装置１が備えるレールの全長を調整することができる。なお、本実施形態において、レール２の本数は３本以上に限定されない。レール２の本数は、１本又は２本であり得る。
【００６０】
また、例えば、天井スラブＳに複数の筐体を設置する前に複数のレールを電気的に接続した場合、複数のレールの電気的接続状態を維持したまま、天井スラブＳに複数の筐体を設置しなければならない。これに対し、本実施形態では、支持装置１は、レール２に着脱自在な給電部材３を備える。よって、天井スラブＳに複数の筐体１０を設置した後に、複数のレール２を電気的に接続することができる。したがって、支持装置１の設置作業がより容易になる。
【００６１】
また、例えば、複数の筐体を連結する連結部材を筐体の外側に取り付ける場合、連結した状態の複数の筐体を天井スラブＳに設置する必要がある。換言すると、各筐体に連結部材を取り付けることなく各筐体を天井スラブＳに設置すると、連結部材を取り付ける部分（筐体の外側）が天井板Ｃによって隠れてしまう。この結果、連結部材を各筐体に取り付けることができなくなる。これに対し、本実施形態では、複数の連結部材５は、複数の筐体１０の内部に取り付けられる。よって、各筐体１０を天井スラブＳに設置した後に、複数の筐体１０を連結することができる。したがって、支持装置１の設置作業の負担を軽減することができる。
【００６２】
また、例えば、結線部を筐体の内部に設ける場合、筐体の奥深くで結線作業を行う必要がある。これに対し、本実施形態によれば、結線部４は、第１筐体１１の外側に位置する。よって、結線部４を筐体１０の内部に設ける場合に比べて、結線作業のためのスペースを広く確保することができる。したがって、結線作業を容易に行うことができる。
【００６３】
また、本実施形態では、レール収容部１１０、下壁１１４、第１ガイド部６１１〜第４ガイド部６１４が第３筐体１３の長手方向に沿って延設されている。このため、第３筐体１３を押出成形によって容易に製造することができる。
【００６４】
なお、本発明は、上記の実施形態に限られるものではなく、その要旨を逸脱しない範囲で種々の態様において実施することが可能である。
【００６５】
例えば、本発明の実施形態において、レール２の露出面２ｇが上壁１１１の天面１１１ａと同一平面内に位置する場合を例に説明したが、本発明はこれに限定されない。例えば、露出面２ｇは、図１２に示すように、上壁１１１の天面１１１ａよりもレール収容部１１０の内側に位置してもよい。これにより、手指がレール２に接触することをより確実に回避することができる。
【００６６】
また、本発明の実施形態では、レール収容部１１０が第１筐体１１の外方に突出する構成について説明したが、本発明はこれに限定されない。例えば、図１３（ａ）及び図１３（ｂ）に示すように、第１筐体１１の上壁１１１の内部にレール収容部１１０が形成されてもよい。
【００６７】
また、本発明の実施形態では、支持装置１は、天井スラブＳから吊り下げられた複数のボルトＢによって支持されたが、本発明はこれに限定されない。例えば、支持装置１は、支持具Ｆが天井板Ｃに当接するだけで支持され得る。
【００６８】
また、本発明の実施形態では、支持装置１が天井スラブＳに取り付けられる形態について説明したが、本発明はこれに限定されない。例えば、支持装置１は、床スラブに取り付けられ得る。
【００６９】
また、本発明の実施形態において、３本のレール２が電気的に直列に接続されたが、本発明はこれに限定されない。複数のレール２は、並列に接続されてもよい。
【符号の説明】
【００７０】
１              照明器具の支持装置
２              レール
２ｇ            露出面
４              結線部
５              連結部材
１０            筐体
１１            第１筐体
１２            第２筐体
１３            第３筐体
１１０          レール収容部
１１１ａ        天面
５１１          ベース部
５１２          嵌合部
６１            第１連結支持部（被嵌合部）
６２            第２連結支持部（被嵌合部）
Ｌ              照明器具
【図１】
2017162752.tif 000003
【図２】
2017162752.tif 000004
【図３】
2017162752.tif 000005
【図４】
2017162752.tif 000006
【図５】
2017162752.tif 000007
【図６】
2017162752.tif 000008
【図７】
2017162752.tif 000009
【図８】
2017162752.tif 000010
【図９】
2017162752.tif 000011
【図１０】
2017162752.tif 000012
【図１１】
2017162752.tif 000013
【図１２】
2017162752.tif 000014
【図１３】
2017162752.tif 000015